(57)【要約】      （修正有）【課題】ダイナミックレンジを改善して操作性の向上を図る圧力検出装置を提供する。【解決手段】パッド１０４の打面Ｄに加わる押圧力が強くなるのに連れて、パッド１０４の裏面外縁に形成した曲面が弾性変形により潰れて上下電極の接触面積を増大させる一方、上部電極（カーボンシート１０３）が接触する下部電極（カーボンパターン層１０１ｂ）のパターン密度が「疎」から「密」に変化する。すなわち、パッド１０４の打面Ｄに加わる押圧力と、この押圧力による弾性変形で変化するパッド１０４の裏面の面積とに対応した所定の特性に基づいて接触抵抗値を発生するので、ダイナミックレンジを改善して操作性に係る分解能を高めることが可能になる。【選択図】図２
2019015923.tif 000002
【特許請求の範囲】
【請求項１】
少なくとも押圧力が加わる接触面積に対応した出力を発生する感圧部と、
操作面を有し、前記操作面に押圧力が加えられた場合に、前記操作面に対向する対向面が前記感圧部に接触して弾性変形するように設けられた部材であって、前記操作面への押圧力に応じた弾性変形により前記対向面が前記感圧部に押圧力を加える接触面積が変化する弾性部材と、
を備えることを特徴とする圧力検出装置。
【請求項２】
前記弾性部材は、前記操作面に押圧力が加えられていない場合に、裏面が非均一な形状を有することを特徴とする請求項１記載の圧力検出装置。
【請求項３】
前記感圧部は、前記感圧部に対する単位面積当たりの押圧力と、前記感圧部に対して押圧力が加わる接触面積とに対応した出力を発生し、
前記感圧部と前記弾性部材とは、前記操作面への押圧力が大きくなるほど、前記感圧部に対する単位面積当たりの押圧力の変化に起因する出力の変化よりも、前記感圧部に対して押圧力が加わる接触面積の変化に起因する出力の変化の方が大きくなるように設けられている、ことを特徴とする請求項１または２に記載の圧力検出装置。
【請求項４】
前記感圧部は、前記感圧部に対して押圧力が加わる接触面積の変化に対する出力の変化の割合が、前記感圧部に対して押圧力の加わる領域に応じて異なり、
前記感圧部と前記弾性部材とは、前記操作面への押圧力が大きくなるほど、前記感圧部に対して押圧力が加わる接触面積の変化に対する出力の変化の割合がより大きい領域に対して接触する面積が大きくなるように設けられている、ことを特徴とする請求項３に記載の圧力検出装置。
【請求項５】
前記弾性部材は、前記対抗面の少なくとも一部が、前記感圧部との接触面に対して、斜めに傾斜または曲線を有していることを特徴とする請求項１乃至４の何れかに記載の圧力検出装置。
【請求項６】
前記感圧部は、所定の電気抵抗を有する導電部材がシート表面に敷設され、押圧力が低い場合でも前記弾性部材と接触する部位と、押圧力が高くなった場合に接触面積の増加に伴い新たに接触するようになる部位とで前記導電部材を敷設する密度が異なることを特徴とする請求項５記載の圧力検出装置。
【請求項７】
前記感圧部は、前記導電部材としてカーボンが印刷されたカーボンシート又はカーボン印刷基板であり、前記カーボンを印刷する密度が中心部と周辺部とで異なることを特徴とする請求項５または６記載の圧力検出装置。
【請求項８】
前記弾性部材の前記対向面は、前記対向面の外縁周囲を所定の曲率で曲面に形成、または前記対向面に下方へ突出する所定曲率の底部曲面を設けるように形成、または前記対向面に所定曲率の包絡面を形成する複数の凸部を行列配置するように形成したことを特徴とする請求項１乃至７の何れかに記載の圧力検出装置。
【請求項９】
請求項１乃至８の何れかに記載の圧力検出装置と、
前記圧力検出装置が圧力検出に応じて出力した信号に基づいて打楽器音を発生する音源部と、
を具備することを特徴とする電子打楽器。
【発明の詳細な説明】
【技術分野】
【０００１】
本発明は、例えば電子ドラムなどに用いられ、打撃操作（パッド操作）で生じる押圧力を検出する圧力検出装置および電子打楽器に関する。
【背景技術】
【０００２】
従来より、複数のパッドを備え、これら各パッドを手で叩いたりスティックで叩いたりすることによってドラム音やパーカッション音等の各種打楽器の音を発音する電子打楽器が知られている。電子打楽器では、演奏者が手又はスティックでパッド面を叩く打撃操作（以下、パッド操作と称す）を検出するセンサの出力に基づき、そのパッド操作が為されたパッドの種類に対応した音色の打楽器音を発生するように構成されている。
【０００３】
パッド操作を検出するセンサとして、例えば特許文献１には、弾性を有するパッド部材の裏面に導電性皮膜を形成した被打撃体と、絶縁基板の表面に互いに非導通な複数の導電領域を同心円状に形成したベース部材と、メッシュ状に開口を形成したシート又はネットからなるスペーサとを備え、上記被打撃体とベース部材とを上記スペーサを介して対向配置させ、パッド操作によって被打撃体の導電性皮膜が上記ベース部材における何れかの導電領域に接触導通することで当該パッド操作が為された打点位置を検出する技術が開示されている。
【０００４】
加えて、電子打楽器に適用される圧力センサ（圧力検出装置）として、押圧力に応じて連続的に接触抵抗値が変化する感圧抵抗シートを用いたものも知られている。この種の圧力センサ（圧力検出装置）について図８を参照して説明する。図８（ａ）は、感圧抵抗シートを用いた圧力センサの構造例を示す断面図である。この図において、カーボン印刷基板２０は、絶縁基板２１上に感圧インクをスクリーン印刷したカーボンパターン層２２を備える。
【０００５】
下部電極として機能するカーボンパターン層２２の上面側には、電気的に絶縁する不導体のスペーサ２３を介してカーボンシート２４が設けられる。カーボンシート２４は、上部電極として機能する。パッド２５は、例えば直方体（板状）の弾性樹脂材から形成され、その上面にパッド操作が為される打面Ｄを有し、当該打面Ｄに対向する裏面側がカーボンシート２４上に載置される。なお、パッド２５は、図示されていない部材によって上下方向へ摺動自在に保持される。
【０００６】
上記構造によれば、パッド操作によりパッド２５の打面Ｄに加えられる押圧力に応じて、上部電極となるカーボンシート２４と、下部電極となるカーボンパターン層２２との接触抵抗値が変化し、この接触抵抗値の変化を出力電圧として計測することで圧力検出するようになっている。
【先行技術文献】
【特許文献】
【０００７】
【特許文献１】特開２００５−２３４４００号公報
【発明の概要】
【発明が解決しようとする課題】
【０００８】
ところで、図８（ａ）に図示した構造による圧力センサ（圧力検出装置）では、パッド操作によりパッド２５の打面Ｄに加えられる押圧力に対応した上下電極間の密着度と、上下電極の接触面積とで接触抵抗値が決まる。つまり、こうした接触抵抗値の変化を出力電圧Ｖとして計測すると、当該出力電圧Ｖは単位面積当たりの押圧力（上下電極間の密着度）と上下電極の接触面積との特性で表される。
【０００９】
例えば図８（ｂ）に図示するように、パッド２５の打面Ｄを比較的に弱い押圧力である押圧力０から押圧力Ｆ１の範囲内で押下すると、パッド２５の裏面が上部電極（カーボンシート２４）を推し込み、これにより撓んだ上部電極（カーボンシート２４）と下部電極（カーボンパターン層２２）との密着度（単位面積当たりの接触抵抗）が押圧力に応じて大きく変化する。
【００１０】
さらに、図８（ｃ）に図示するように、パッド２５の打面Ｄを比較的に強い押圧力である押圧力Ｆ１から押圧力Ｆ２の範囲内で押下すると、パッド２５の裏面が上部電極（カーボンシート２４）を、図８（ｂ）に示す状態から更に推し込んでいくが、既に密着度（単位面積当たりの接触抵抗）が増して飽和状態に近づいているため、押圧力に応じた密着度（単位面積当たりの接触抵抗）の変化は少なくなる。
【００１１】
一方、接触面積については、パッド２５の裏面は平面に形成されているので、図８（ｂ）、（ｃ）に図示する通り、押圧力の強弱に関係なく上部電極（カーボンシート２４）と下部電極（カーボンパターン層２２）との接触領域がほぼ同じ、つまり接触面積が一定になる。
【００１２】
圧力センサ（圧力検出装置）の押圧力と出力電圧との関係については、押圧力の強弱に関係無く接触面積が一定であると、接触抵抗は密着度に依存して変化することになり、同図（ｄ）に図示するように、上部電極（カーボンシート２４）と下部電極（カーボンパターン層２２）とが接触した途端に接触抵抗値が下がって出力電圧Ｖは急峻に立ち上がり、これ以後は押圧力Ｆに応じて上下電極間の密着度が増加することで低下する接触抵抗値に比例して出力電圧Ｖが穏やかに増加する特性となる。
【００１３】
このような特性では、例えば同図（ｄ）に図示するように、パッド２５の打面Ｄを比較的に弱い押圧力である押圧力０（無反応領域を除く）から押圧力Ｆ１まで変化させた場合の出力電圧の変化である出力電圧０から出力電圧Ｖ１までの間では十分なダイナミックレンジを確保することができるが、パッド２５の打面Ｄを比較的に強い押圧力である押圧力Ｆ１から押圧力Ｆ２まで変化させた場合の出力電圧の変化である出力電圧Ｖ１から出力電圧Ｖ２までの間では十分なダイナミックレンジを確保することができない。
【００１４】
つまり、弱い押圧力の動作領域と強い押圧力の動作領域とでのダイナミックレンジのバランスが悪く、全体的なダイナミックレンジが十分に確保されていない。また、ダイナミックレンジのバランスが悪く、全体的に十分なダイナミックレンジを確保し得ない為に操作性（押圧力の分解能）も低下する、という問題もある。
【００１５】
本発明は、このような事情に鑑みてなされたもので、ダイナミックレンジを改善して操作性の向上を図ることができる圧力検出装置および電子打楽器を提供することを目的としている。
【課題を解決するための手段】
【００１６】
本発明の一実施態様である圧力検出装置は、少なくとも押圧力が加わる接触面積に対応した出力を発生する感圧部と、操作面を有し、前記操作面に押圧力が加えられた場合に、前記操作面に対向する対向面が前記感圧部に接触して弾性変形するように設けられた部材であって、前記操作面への押圧力に応じた弾性変形により前記対向面が前記感圧部に押圧力を加える接触面積が変化する弾性部材と、を備えることを特徴とする。
【発明の効果】
【００１７】
本発明では、ダイナミックレンジを改善して操作性の向上を図ることが出来る。
【図面の簡単な説明】
【００１８】
【図１】図１は本発明の一実施形態である電子打楽器１００の構成を示すブロック図である。
【図２】図２（ａ）は圧力検出部１０の構造を示す断面図、図２（ｂ）はカーボンパターンの一例を示す図である。
【図３】図３は圧力検出部１０の機能を説明するための図である。
【図４】図４は第１の変形例による圧力検出部１０の構造を説明するための図である。
【図５】図５は第２の変形例による圧力検出部１０の構造を説明するための図である。
【図６】図６は第３の変形例による圧力検出部１０の構造を説明するための図である。
【図７】図７は不均一な密度分布による導電パターンの一例を示す図である。
【図８】図８は従来例を説明するための図である。
【発明を実施するための形態】
【００１９】
以下、図面を参照して本発明の実施の一形態について説明する。
［実施形態の構成］
図１は、本発明の実施の一形態による電子打楽器１００の構成を示すブロック図である。図１において、圧力検出部１０は、図８に図示した従来例と同様、押圧力に応じて連続的に接触抵抗値が変化する感圧抵抗シートを用いた方式により構成され、パッド操作で生じる押圧力に応じた電圧信号を発生する。本発明の要旨に係る圧力検出部１０の構造については追って詳述する。
【００２０】
ＡＤＣ１１は、圧力検出部１０が発生する電圧信号をＡＤ変換してパッドデータＰＤを出力する。ＣＰＵ１２は、操作部１５から供給される各種スイッチイベントに基づき楽器各部の動作態様を設定する他、ＡＤＣ１１から出力されるパッドデータＰＤに応じて、発音指示および発音音量（ベロシティＶｅｌ）を含むノートオンイベントおよび消音指示するノートオフイベントを生成して音源１６に供給する。
【００２１】
ＲＯＭ１３は、上記ＣＰＵ１２にロードされる各種制御プログラムを記憶する。ＲＡＭ１４は、上記ＣＰＵ１２のワークエリアとして用いられ、各種レジスタ・フラグデータを一時記憶する。操作部１５は、例えば装置電源をパワーオン／パワーオフする電源スイッチ（不図示）や、発生する打楽器の音色を選択する音色選択スイッチ等を有し、各種スイッチ操作に応じたスイッチイベントを発生する。
【００２２】
音源１６は、公知の波形メモリ読み出し方式により構成され、時分割動作する複数の発音チャンネルを備える。この音源１６は、各種打楽器音の波形データを記憶しており、ＣＰＵ１２から供給されるノートオンイベントに従って予め設定された打楽器音の波形データを読み出すと共に、読み出した打楽器音の波形データを、ノートオンイベントに含まれるベロシティＶｅｌに基づいて音量制御して得た再生波形データを出力する。サウンドシステム１７は、音源１６から出力される再生波形データをアナログ形式の再生波形信号にＤ／Ａ変換し、当該再生波形信号から不要ノイズを除去する等のフィルタリングを施した後、信号増幅してスピーカから放音する。
【００２３】
［圧力検出部１０の構造］
次に、図２を参照して圧力検出部１０の構造を説明する。図２（ａ）は、圧力検出部１０の構造の一例を示す断面図である。この図において、カーボン印刷基板１０１は、絶縁基板１０１ａ上に感圧インクをスクリーン印刷したカーボンパターン層１０１ｂを備える。下部電極として機能するカーボンパターン層１０１ｂは、矩形状の導電パターンを複数備える。
【００２４】
複数の導電パターンは、図２（ｂ）に図示するように、中心部では導電パターンの間隔を広くしてパターン密度を「疎」とし、外縁（外周）部では導電パターンの間隔を狭めてパターン密度を「密」とした不均一な密度分布を有する。下部電極として機能するカーボンパターン層１０１ｂの上面側には、電気的に絶縁する不導体のスペーサ１０２を介してカーボンシート１０３が設けられる。カーボンシート１０３は、上部電極として機能する。
【００２５】
パッド１０４は、例えばシリコン樹脂等の弾性変形する円板状の樹脂材から形成される。なお、パッド１０４の形状は、円板状に限らず直方体（板状）であっても構わない。パッド１０４の上面には、パッド操作が為される打面Ｄが設けられる。パッド１０４の打面Ｄに対向する裏面側は、外縁周囲を所定の曲率で曲面形成し、この曲面に連なる裏面側の平面がカーボンシート１０３上に載置される。なお、パッド１０４は、図示されていない部材によって上下方向へ摺動自在に保持される。
【００２６】
このような構造によれば、例えば図３（ａ）に図示するように、パッド１０４の打面Ｄを弱い押圧力Ｆ１で押下した場合には、パッド１０４の裏面が上部電極（カーボンシート１０３）を押し込み、これにより導電パターンを敷設する密度が「疎」となる領域の下部電極（カーボンパターン層１０１ｂ）に接触する。この場合、上部電極（カーボンシート１０３）は、パターン密度が「疎」となる領域のカーボンパターン層１０１ｂに接触する。
【００２７】
これに対し、例えば同図（ｂ）に図示するように、パッド１０４の打面Ｄを弱い押圧力Ｆ１より強い押圧力Ｆ２で押下した場合には、パッド１０４の裏面外縁に形成した曲面が弾性変形により撓む。つまり、強い押圧力Ｆ２によってパッド１０４の裏面外縁が潰れ、同図（ａ）に図示する接触領域よりも大きい接触領域になるので、パッド１０４の裏面の面積（接触面積）が増加することが判る。そして、パッド１０４の裏面の面積（接触面積）の増加に伴い上部電極（カーボンシート１０３）は、主にパターン密度が「密」となる領域のカーボンパターン層１０１ｂに接触することなる。
【００２８】
したがって、同図（ｃ）に図示するように、パッド１０４の打面Ｄを弱い押圧力Ｆ１で押下した場合（同図（ａ）参照）には、主にパターン密度が「疎」となる領域のカーボンパターン層１０１ｂに上部電極（カーボンシート１０３）が接触する為に比較的大きな接触抵抗値となり、この結果、出力電圧Ｖ１となる。
【００２９】
一方、パッド１０４の打面Ｄを弱い押圧力Ｆ１より強い押圧力Ｆ２で押下した場合（同図（ｂ）参照）には、パッド１０４の裏面外縁が弾性変形により潰れて接触面積が増大し、かつ主にパターン密度が「密」となる領域のカーボンパターン層１０１ｂに接触する為に小さな接触抵抗値となり、この結果、出力電圧Ｖ２となる。
【００３０】
すなわち、押圧力が強くなるのに応じて、パッド１０４の裏面外縁に形成した曲面が潰れて上下電極の接触面積を増大させる一方、上部電極（カーボンシート１０３）が接触する下部電極（カーボンパターン層１０１ｂ）のパターン密度が「疎」から「密」に変化する為、従来のように、両電極が接触した途端に接触抵抗値が下がって出力電圧が急峻に立ち上がる特性にはならず、パッド１０４の打面Ｄに加える押圧力にほぼ比例する形で両電極間の接触抵抗値が変化する結果、出力電圧Ｖが穏やかに増加する「押圧力−出力電圧」特性となる。
【００３１】
こうした特性では、図３（ｃ）に図示した通り、パッド１０４の打面Ｄを弱い押圧力Ｆ１で押下した場合の出力電圧Ｖ１と、強い押圧力Ｆ２で押下した場合の出力電圧Ｖ２との差分ΔＶ２が、従来例における差分ΔＶ１（図８（ｄ）参照）よりも大きくなるので、ダイナミックレンジを改善して操作性に係る分解能を高めることが可能になる。
【００３２】
［変形例］
次に、変形例について説明する。上述した実施形態では、パッド１０４の裏面外縁に形成した曲面が潰れて上下電極の接触面積を増大させながら、上部電極（カーボンシート１０３）が接触する下部電極（カーボンパターン層１０１ｂ）のパターン密度を「疎」から「密」に変化させることによって、ダイナミックレンジを改善して操作性に係る分解能を高めるようにしたが、変形例では「押圧力−出力電圧」の特性を任意に変更して操作性の向上を図った圧力検出部１０の構造について説明する。
【００３３】
（１）第１変形例
図４は、第１変形例による圧力検出部１０の構造を説明するための図である。なお、この図において、前述した実施形態と共通する構成要素には同一の番号を付し、その説明を省略する。図４（ａ）に図示する第１変形例が、図２（ａ）に図示した実施形態と相違する点は、パッド１０４の裏面に下方へ突出する所定曲率の底部曲面を設けると共に、下部電極（カーボンパターン層１０１ｂ）に所定ピッチで疎パターンおよび密パターンを敷設した点にある。
【００３４】
上記構造によれば、パッド１０４の打面Ｄを押圧すると、先ずパッド１０４の裏面に設けた底部曲面が上下電極を接触させる。この際、接触面積は小さく、かつ上部電極（カーボンシート１０３）が下部電極（カーボンパターン層１０１ｂ）の疎パターンに接触するので、大きな接触抵抗値となる。そして、次第に押圧力を増すと、底部曲面が潰れてパッド１０４の裏面が平面になり、接触面積が増加して接触抵抗値が下がり始める。さらに押圧力を増せば、パッド１０４の裏面外縁に形成した曲面が潰れて上下電極の接触面積が最大になり、接触抵抗値も最少となる。
【００３５】
この結果、「押圧力−出力電圧」の特性は、同図（ｂ）に図示する通り、所定の押圧力が加えられる迄の間、出力電圧Ｖは徐々に増加（接触抵抗値が徐々に低下）し、所定以上の押下力になると、出力電圧Ｖが急激に増加（接触抵抗値が急激に減少）する特性になる。このような特性は、パッド１０４の打面Ｄを弱打した場合のパッド操作を演奏ミスとして排除したり、例えば和太鼓などの強打する打楽器音を入力する特性として有用になる。
【００３６】
（２）第２変形例
図５は、第２変形例による圧力検出部１０の構造を説明するための図である。なお、この図において、前述した実施形態と共通する要素には同一の番号を付し、その説明を省略する。図５（ａ）に図示する第２変形例が、図２（ａ）に図示した実施形態と相違する点は、パッド１０４の裏面を所定曲率の曲面に形成した点にある。
【００３７】
上記構造によれば、パッド１０４の打面Ｄを押圧すると、先ずパッド１０４の裏面の曲面が上下電極を接触させる。この際、接触面積は小さく、かつ上部電極（カーボンシート１０３）が下部電極（カーボンパターン層１０１ｂ）の疎パターンに接触するので、大きな接触抵抗値となる。そして、次第に押圧力を増すと、曲面が潰れてパッド１０４の裏面が平面になり、接触面積が増加して接触抵抗値が下がり始める。さらに押圧力を増せば、パッド１０４の裏面の曲面が潰れて上下電極の接触面積が最大になり、接触抵抗値も最少となる。この結果、「押圧力−出力電圧」の特性は、同図（ｂ）に図示する通り、押圧力Ｆに応じて出力電圧Ｖがほぼ線形に増加する特性になる。このような特性は、例えばパッド１０４の打面Ｄを弱打したり強打したりするスネアドラム音等を入力する特性として有用になる。
【００３８】
（３）第３変形例
図６は、第３変形例による圧力検出部１０の構造を説明するための図である。なお、この図において、前述した実施形態と共通する要素には同一の番号を付し、その説明を省略する。図６（ａ）に図示する第３変形例が、図２（ａ）に図示した実施形態と相違する点は、パッド１０４の裏面に、図６（ｂ）に図示するように、所定曲率の包絡面を形成する複数の凸部を行列配置した点にある。
【００３９】
こうした構造によれば、前述した実施形態と同様、押圧力が強くなるのに応じて、パッド１０４の裏面に形成した複数の凸部が潰れて上下電極の接触面積を増大させる一方、上部電極（カーボンシート１０３）が接触する下部電極（カーボンパターン層１０１ｂ）のパターン密度が「疎」から「密」に変化する為、従来のように、両電極が接触した途端に接触抵抗値が下がって出力電圧が急峻に立ち上がる特性にはならず、パッド１０４の打面Ｄに加える押圧力にほぼ比例する形で両電極間の接触抵抗値が変化する結果、出力電圧Ｖが穏やかに増加する「押圧力−出力電圧」特性となる。
【００４０】
以上説明したように、本実施形態では、パッド１０４の打面Ｄに加わる押圧力が強くなるのに連れて、パッド１０４の裏面外縁に形成した曲面が弾性変形により潰れることで上下電極の接触面積を増大させる一方、上部電極（カーボンシート１０３）が接触する下部電極（カーボンパターン層１０１ｂ）のパターン密度が「疎」から「密」に変化する。
【００４１】
すなわち、パッド１０４の打面Ｄに加わる押圧力と、この押圧力による弾性変形で変化するパッド１０４の裏面の面積とに対応した所定の特性に基づいて接触抵抗値を発生するので、従来のように、上部電極（カーボンシート１０３）と下部電極（カーボンパターン層１０１ｂ）とが接触した途端に接触抵抗値が下がって出力電圧が急峻に立ち上がる特性にはならず、パッド１０４の打面Ｄに加える押圧力にほぼ比例する形で両電極間の接触抵抗値が変化する結果、ダイナミックレンジを改善して操作性に係る分解能を高めることが可能になる。
【００４２】
また、パッド１０４の裏面に下方へ突出する所定曲率の底部曲面や、所定曲率の曲面に形成したり、所定曲率の包絡面を形成する複数の凸部を形成したりする一方、上部電極（カーボンシート１０３）が接触する下部電極（カーボンパターン層１０１ｂ）のパターン密度を各様に変化させることで「押圧力−出力電圧」の特性を任意に変更して操作性の向上を図ることが可能になる。
【００４３】
なお、上述した実施形態では、下部電極として機能するカーボンパターン層１０１ｂにおいて、「疎」の領域と「密」の領域とに区分して導電パターンを敷設する密度を不均一にしたが、これに限らず、例えば図７に図示する一例のように、導電パターンを敷設する密度を「疎」から「密」に連続的に変化させる態様としても構わない。
【００４４】
以上、本発明の実施形態（含む変形例）について説明したが、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００４５】
以下では、本願出願当初の特許請求の範囲に記載された各発明について付記する。
（付記）
［請求項１］
少なくとも押圧力が加わる接触面積に対応した出力を発生する感圧部と、
操作面を有し、前記操作面に押圧力が加えられた場合に、前記操作面に対向する対向面が前記感圧部に接触して弾性変形するように設けられた部材であって、前記操作面への押圧力に応じた弾性変形により前記対向面が前記感圧部に押圧力を加える接触面積が変化する弾性部材と、
を備えることを特徴とする圧力検出装置。
［請求項２］
前記弾性部材は、前記操作面に押圧力が加えられていない場合に、裏面が非均一な形状を有することを特徴とする請求項１記載の圧力検出装置。
［請求項３］
前記感圧部は、前記感圧部に対する単位面積当たりの押圧力と、前記感圧部に対して押圧力が加わる接触面積とに対応した出力を発生し、
前記感圧部と前記弾性部材とは、前記操作面への押圧力が大きくなるほど、前記感圧部に対する単位面積当たりの押圧力の変化に起因する出力の変化よりも、前記感圧部に対して押圧力が加わる接触面積の変化に起因する出力の変化の方が大きくなるように設けられている、ことを特徴とする請求項１または２に記載の圧力検出装置。
［請求項４］
前記感圧部は、前記感圧部に対して押圧力が加わる接触面積の変化に対する出力の変化の割合が、前記感圧部に対して押圧力の加わる領域に応じて異なり、
前記感圧部と前記弾性部材とは、前記操作面への押圧力が大きくなるほど、前記感圧部に対して押圧力が加わる接触面積の変化に対する出力の変化の割合がより大きい領域に対して接触する面積が大きくなるように設けられている、ことを特徴とする請求項３に記載の圧力検出装置。
［請求項５］
前記弾性部材は、前記対抗面の少なくとも一部が、前記感圧部との接触面に対して、斜めに傾斜または曲線を有していることを特徴とする請求項１乃至４の何れかに記載の圧力検出装置。
［請求項６］
前記感圧部は、所定の電気抵抗を有する導電部材がシート表面に敷設され、押圧力が低い場合でも前記弾性部材と接触する部位と、押圧力が高くなった場合に接触面積の増加に伴い新たに接触するようになる部位とで前記導電部材を敷設する密度が異なることを特徴とする請求項５記載の圧力検出装置。
［請求項７］
前記感圧部は、前記導電部材としてカーボンが印刷されたカーボンシート又はカーボン印刷基板であり、前記カーボンを印刷する密度が中心部と周辺部とで異なることを特徴とする請求項５または６記載の圧力検出装置。
［請求項８］
前記弾性部材の前記対向面は、前記対向面の外縁周囲を所定の曲率で曲面に形成、または前記対向面に下方へ突出する所定曲率の底部曲面を設けるように形成、または前記対向面に所定曲率の包絡面を形成する複数の凸部を行列配置するように形成したことを特徴とする請求項１乃至７の何れかに記載の圧力検出装置。
［請求項９］
請求項１乃至８の何れかに記載の圧力検出装置と、
前記圧力検出装置が圧力検出に応じて出力した信号に基づいて打楽器音を発生する音源部と、
を具備することを特徴とする電子打楽器。
【符号の説明】
【００４６】
１０  圧力検出部
１０１、２０  カーボン印刷基板
１０１ａ、２１  絶縁基板
１０１ｂ、２２  カーボンパターン層
１０２、２３  スペーサ
１０３、２４  カーボンシート
１０４、２５  パッド
Ｄ  打面
１１  ＡＤＣ
１２  ＣＰＵ
１３  ＲＯＭ
１４  ＲＡＭ
１５  操作部
１６  音源
１７  サウンドシステム
１００  電子打楽器
【図１】
2019015923.tif 000003
【図２】
2019015923.tif 000004
【図３】
2019015923.tif 000005
【図４】
2019015923.tif 000006
【図５】
2019015923.tif 000007
【図６】
2019015923.tif 000008
【図７】
2019015923.tif 000009
【図８】
2019015923.tif 000010